(57)【特許請求の範囲】
【請求項１】
ユーザＬＡＮと通信事業者の広域ＬＡＮとを光ファイバ等の伝送路を介して接続するＬＡＮ間接続システムであって、
該システムは、通信事業者側に設置されて広域ＬＡＮと前記伝送路との間において所定のデータフレームを転送する第１の転送装置と、ユーザ宅内に設置されてユーザＬＡＮと前記伝送路との間において所定のデータフレームを転送する第２の転送装置とを含み、
少なくとも前記第１の転送装置は、前記伝送路との間の物理層を終端する第１の物理層終端手段と、広域ＬＡＮ側の物理層を終端する第２の物理層終端手段と、該第１および第２の物理層終端手段間においてデータフレームを媒体アクセス制御により転送するＭＡＣスイッチであって、複数の入出力ポートが所定のグループ毎にポートＶＬＡＮ設定自在に設けられ、前記伝送路側と広域ＬＡＮ側とにグループ化された入出力ポートがそのデータフレームをグループ間転送自在に接続されたＭＡＣスイッチと、それらの間のデータフレームの転送周波数を所定の間隔により自在に設定して、少なくとも前記第２の転送装置から前記伝送路を介して転送されるユーザＬＡＮから広域ＬＡＮへのデータ量を所望の伝送容量に帯域制限する帯域制限制御手段とを含むことを特徴とするＬＡＮ間接続システム。
【請求項２】
請求項１に記載のＬＡＮ間接続システムにおいて、前記第１の転送装置におけるＭＡＣスイッチは、少なくとも第１〜第４のポートを含み、その第１のポートが前記第１の物理層終端手段に接続され、該第１のポートと第２のポートが第１のＶＬＡＮグループとして設定され、また第３のポートが前記第２の物理層終端手段に接続され、該第３のポートと第４のポートが第２のＶＬＡＮグループとして設定されて、前記第２のポートと第４のポートがデータフレームを第１および第２のＶＬＡＮグループにてグループ間転送自在に接続されていることを特徴とするＬＡＮ間接続システム。
【請求項３】
請求項１に記載のＬＡＮ間接続システムにおいて、前記第１の転送装置におけるＭＡＣスイッチは、少なくとも第１〜第８のポートを含み、第１のポートの入力が前記第１の物理層終端手段に接続され、該第１のポートと第２のポートが第１のＶＬＡＮグループとして設定され、また第３のポートと第４のポートが第２のＶＬＡＮグループとして設定され、該第４のポートの出力が前記第２の物理層終端手段に接続されて、前記第２のポートと第３のポートがデータフレームを第１および第２のＶＬＡＮグループにてグループ間転送自在に相互に接続されていることを特徴とするＬＡＮ間接続システム。
【請求項４】
請求項３に記載のＬＡＮ間接続システムにおいて、前記第１の転送装置におけるＭＡＣスイッチは、さらに、第５のポートの入力が第２の物理層終端手段に接続され、該第５のポートと第６のポートが第３のＶＬＡＮグループとして設定され、また第７のポートと第８のポートが第４のＶＬＡＮグループとして設定され、該第８のポートの出力が前記第１の物理層終端手段に接続されて、前記第６のポートと第７のポートがデータフレームを第３および第４のＶＬＡＮグループにてグループ間転送自在に接続されていることを特徴とするＬＡＮ間接続システム。
【請求項５】
請求項２〜請求項４のいずれかに記載のＬＡＮ間接続システムにおいて、前記第１の転送装置におけるＭＡＣスイッチは、それぞれのポートの入力手段と、該入力手段からのデータフレームを一時蓄積するバッファ手段と、該バッファ手段から読み出されたデータフレームを前記帯域制限制御手段からの転送周波数に応動して出力するそれぞれのポートの出力手段と、前記バッファ手段からのデータフレームをＶＬＡＮ設定された所望のポートの出力手段に読み出すバッファ制御手段とを含むことを特徴とするＬＡＮ間接続システム。
【請求項６】
請求項５に記載のＬＡＮ間接続システムにおいて、前記帯域制限制御手段は、所望の発振周波数を生成する発振手段と、該発振手段からの発振周波数を自在に切り替える切替手段とを含み、該帯域制限制御手段は、上り下り同一の周波数により前記バッファ制御手段を駆動することを特徴とするＬＡＮ間接続システム。
【請求項７】
請求項５に記載のＬＡＮ間接続システムにおいて、該システムは、所望の発振周波数を生成する発振手段と、該発振手段からの発振周波数を自在に切り替える切替手段とを含む２以上の帯域制限制御手段を有し、該帯域制限制御手段は、上り下り異なる周波数により前記バッファ制御手段を駆動することを特徴とするＬＡＮ間接続システム。
【請求項８】
請求項１〜請求項７のいずれかに記載のＬＡＮ間接続システムにおいて、該システムにて転送されるデータフレームは、いずれのＶＬＡＮに転送するかを表わすＶＬＡＮ制御情報が付加されたＶＬＡＮタグを有するタグフレーム、もしくはＶＬＡＮタグを有しないアンタグフレームとを含み、前記第１の転送装置は、前記ＭＡＣスイッチに、タグフレームおよびアンタグフレームをそのＶＬＡＮタグの有無にかかわらずタグなしフレームとして処理するように設定する設定手段を含むことを特徴とするＬＡＮ間接続システム。
【発明の詳細な説明】
【０００１】
【発明の属する技術分野】
本発明は、ＬＡＮ間接続システムに係り、特に、たとえば光ファイバなどの大容量の伝送路によってＬＡＮ間を接続する場合に適用して好適なＬＡＮ間接続システムに関するものである。
【０００２】
【従来の技術】
近年、ＬＡＮ(local area network)技術をベースとした広域ＬＡＮが各地域にそれぞれ構築されて、これらをさらに高速広帯域の基幹網により接続した通信網が全国規模において展開されて、その実用化が図られつつある。その伝送路基盤としては光ファイバが適用されて、いわゆるＦＴＴＯ(fiber to the office) あるいはＦＴＴＨ(fiber to the home) と呼ばれるユーザ接続まで拡張したネットワークサービスが提供されるようになってきた。
【０００３】
また、周知のように、ＬＡＮ同士を接続するＬＡＮ間接続装置としては、ＯＳＩ(open systems interconnection)モデルのデータリンク層レベルでの接続をするブリッジと、ネットワーク層レベルでの接続をするルータと、トランスポート層以上の上位レベルでの接続をするゲートウェイなどが知られている。特に、ブリッジ方式のＬＡＮ間接続は、共通のデータリンク層を介して接続するため、ＴＣＰ／ＩＰ(transmission control protocol/internet protocol) などの上位のプロトコルに関係なくＬＡＮ同士を安価な装置により接続することができる。
【０００４】
【発明が解決しようとする課題】
ところで、ユーザＬＡＮを上記のような通信事業者の広域ＬＡＮに光ファイバ伝送路を介して接続する場合、光ファイバ伝送路の通信事業者側の終端点にブリッジ方式のＬＡＮ間接続装置を適用した場合には、ユーザとの契約の際にユーザが望む帯域契約に応じた細かい設定をすることが難しく、たとえば、ユーザＬＡＮの速度に応じた１０ＢＡＳＥ−Ｔの帯域または１００ＢＡＳＥ−Ｔの帯域の２種類の切り替えにのみ対応するものでしかなかった。
【０００５】
本発明は、上記のような課題に鑑みてなされたものであり、ユーザＬＡＮを通信事業者の広域ＬＡＮに安価な装置によりＬＡＮ間接続することができ、さらにユーザＬＡＮからの契約帯域を細かく設定することができるＬＡＮ間接続システムを提供することを目的とする。
【０００６】
【課題を解決するための手段】
本発明によるＬＡＮ間接続システムは上述した課題を解決するために、ユーザＬＡＮ１０と通信事業者の広域ＬＡＮ３０とを光ファイバ等の伝送路を介して接続するＬＡＮ間接続システムであって、通信事業者側に設置されて広域ＬＡＮ３０と伝送路２０との間において所定のデータフレームを転送する第１の転送装置４０、６０と、ユーザ宅内に設置されてユーザＬＡＮ１０と伝送路２０との間において所定のデータフレームを転送する第２の転送装置５０とを含み、少なくとも第１の転送装置４０、６０は、伝送路との間の物理層を終端する第１の物理層終端手段４０２と、広域ＬＡＮ側の物理層を終端する第２の物理層終端手段４０６と、第１および第２の物理層終端手段間においてデータフレームを媒体アクセス制御により転送するＭＡＣスイッチであって、複数の入出力ポートが所定のグループ毎にポートＶＬＡＮ設定自在に設けられ、伝送路側と広域ＬＡＮ側とにグループ化された入出力ポートがそのデータフレームをグループ間転送自在に接続されたＭＡＣスイッチ４０４、５００と、それらの間のデータフレームの転送周波数を所定の間隔により自在に設定して、少なくとも第２の転送装置５０から伝送路を介して転送されるユーザＬＡＮから広域ＬＡＮへのデータ量を所望の伝送容量に帯域制限する帯域制限制御手段４１０、５５０、５６０とを含むことを特徴とする。
【０００７】
この場合、第１の転送装置４０におけるＭＡＣスイッチ４０４は、少なくとも第１〜第４のポート（４２２〜４２８）を含み、その第１のポート４２２が第１の物理層終端手段４０２に接続され、その第１のポート４２２と第２のポート４２４が第１のＶＬＡＮグループ４２０として設定され、また第３のポート４２６が第２の物理層終端手段４０６に接続され、その第３のポート４２６と第４のポート４２８が第２のＶＬＡＮグループ４３０として設定されて、さらに第２のポート４２４と第４のポート４２８がデータフレームを第１及び第２のＶＬＡＮグループ４２０、４３０にてグループ間転送自在に接続されているとよい。
【０００８】
また、第１の転送装置６０におけるＭＡＣスイッチ５００は、少なくとも第１〜第８のポート（５０２〜５１８）を含み、第１のポート５０２の入力が第１の物理層終端手段４０２に接続され、その第１のポート５０２と第２のポート５０４が第１のＶＬＡＮグループ５１０として設定され、また第３のポート５０６と第４のポート５０８が第２のＶＬＡＮグループ５２０として設定され、その第４のポート５０４の出力が第２の物理層終端手段４０６に接続されて、さらに第２のポート５０４と第３のポート５０６がデータフレームを第１および第２のＶＬＡＮグループ５１０、５２０にてグループ間転送自在に相互に接続されているものであってもよい。
【０００９】
この場合、第１の転送装置６０におけるＭＡＣスイッチ５００は、さらに、第５のポート５１２の入力が第２の物理層終端手段４０６に接続され、その第５のポート５１２と第６のポート５１４が第３のＶＬＡＮグループ５３０として設定され、また第７のポート５１６と第８のポート５１８が第４のＶＬＡＮグループ５４０として設定され、その第８のポート５１８の出力が第１の物理層終端手段４０２に接続されて、第６のポート５１４と第７のポート５１６がデータフレームを第３および第４のＶＬＡＮグループ５３０、５４０にてグループ間転送自在に接続されているとよい。
【００１０】
これらの場合、第１の転送装置４０、６０におけるＭＡＣスイッチ４０４、５００は、それぞれのポートの入力手段（４３２〜４３８）と、入力手段からのデータフレームを一時蓄積するバッファ手段４４０と、バッファ手段から読み出されデータフレームを帯域制限制御手段からの転送周波数に応動して出力するそれぞれのポートの出力手段（４４４〜４５０）と、バッファ手段からのデータフレームをＶＬＡＮ設定された所望のポートの出力手段に読み出すバッファ制御手段４４２とを含むとよい。
【００１１】
また、帯域制限制御手段４１０は、所望の発振周波数を生成する発振手段４８０と、発振手段からの発振周波数を自在に切り替える切替手段４８２とを含み、これにより、上り下り同一の周波数によりバッファ制御手段を駆動するとよい。
【００１２】
有利には、本発明によるＬＡＮ間接続システムの第１の転送装置６０は、所望の発振周波数を生成する発振手段５５２、５６２と、発振手段からの発振周波数を自在に切り替える切替手段５５４、５６４とを含む２以上の帯域制限制御手段５５０、５６０を有し、これら帯域制限制御手段は、上り下り異なる周波数によりバッファ制御手段を駆動するとよい。
【００１３】
本発明によるＬＡＮ間接続システムにて転送されるデータフレームは、いずれのＶＬＡＮに転送するかを表わすＶＬＡＮ制御情報が付加されたＶＬＡＮタグを有するタグフレーム、もしくはＶＬＡＮタグを有しないアンタグフレームとを含み、第１の転送装置４０、６０は、ＭＡＣスイッチ４０４、５００に、タグフレームおよびアンタグフレームをそのＶＬＡＮタグの有無にかかわらずタグなしフレームとして処理するように設定する設定手段４５２を含むとよい。
【００１４】
【発明の実施の形態】
次に、添付図面を参照して本発明によるＬＡＮ間接続システムの実施の形態を詳細に説明する。図１および図２には、本発明によるＬＡＮ間接続システムの一実施形態が示されている。本実施形態によるＬＡＮ間接続システムは、たとえば図２に示すように、ユーザＬＡＮ１０を光ファイバ伝送路２０を介して通信事業者の広域ＬＡＮ３０などのキャリアネットワークに接続する加入者アクセス系のインタフェースであり、本実施形態では、光ファイバ伝送路２０と、その通信事業者側に接続された第１の光変換ブリッジ４０と、宅内側に接続された第２の光変換ブリッジ５０とを含むブリッジ方式のＬＡＮ間接続システムである。特に、本実施形態では、たとえば図１に示すように、局側の第１の光変換ブリッジ４０に、少なくとも４個の入出力ポートを有するポートＶＬＡＮ（virtual LAN)設定自在なＭＡＣ(media access control)スイッチ４０４が設けられ、その光ファイバ伝送路側と広域ＬＡＮ側にグループ化された入出力ポートがグループ間転送自在に接続されて、それらの間の転送周波数を所望の値に設定してユーザＬＡＮ１０から広域ＬＡＮ３０へのデータ容量と広域ＬＡＮ３０からユーザＬＡＮ１０へのデータ容量をそれぞれ帯域制限する点が主な特徴点である。
【００１５】
各部の詳細を説明すると、ユーザＬＡＮ１０は、本実施形態では複数のパーソナルコンピュータなどのデータ端末が接続された１０Ｂａｓｅ−Ｔあるいは１００Ｂａｓｅ−ＴのイーサネットＬＡＮまたはＩＥＥＥ８０２．３イーサネットＬＡＮであり、本実施形態では、通信事業者との帯域契約によりたとえば１０Ｍｂｐｓから１０Ｍｂｐｓステップ単位毎に１００Ｍｂｐｓまでの任意の伝送帯域が選択されて本実施形態のＬＡＮ間接続システムにより広域ＬＡＮ３０に接続される。このユーザＬＡＮ１０は、ハブあるいはルータ１００を介して光変換ブリッジ５０に接続されている。一方、広域ＬＡＮ３０は、たとえば数Ｇｂｐｓの伝送帯域を有する高速広帯域のＬＡＮ技術をベースとしたネットワークであり、たとえば地域毎に複数のユーザＬＡＮ１０を収容してさらに１００Ｇｂｐｓクラスの基幹網を介して各地域に接続されている。この広域ＬＡＮ３０は、本実施形態ではルータ３００を介して光変換ブリッジ４０に接続されている。
【００１６】
ルータ１００，３００は、ネットワーク層レベルのスイッチであり、本実施形態において伝送するデータフレーム中のIP(Internet protocol) アドレスに従って経路を振り分けるＬＡＮ間接続装置である。本実施形態において転送されるデータフレームは、イーサネットフレームまたはＩＥＥＥ８０２．３イーサネットフレームなどのアンタグフレームと、これらにＶＬＡＮタグを付加したＩＥＥＥ８０２．１Ｑに準拠したタグフレームとを含む。イーサネットフレームは、図６（ａ）に示すように、同期信号を表わすプリアンブルＰＡと、隣接する次の宛先を表わす宛先ＭＡＣアドレスＤＡと、送信元アドレスを表わす送信元ＭＡＣアドレスＳＡと、データのタイプを表わすイーサネットタイプＥＴと、ＩＰヘッダを含む４６〜１５００オクテットの可変長の送信データＤＴと、宛先ＭＡＣアドレスＤＡからデータＤＴまでのエラー検出のための、いわゆるＣＲＣ(cyclic redundancy check) 符号が挿入されるフレームチェックシーケンスＦＣＳとを含む。ＩＥＥＥ８０２．３イーサネットフレームは、同図（ｂ）に示すように、同期信号を表わすプリアンブルＰＡと、８ビットのフレーム開始デリミタＳＦＤと、隣接する次の宛先を表わす宛先ＭＡＣアドレスＤＡと、送信元アドレスを表わす送信元ＭＡＣアドレスＳＡと、データの長さを表わすデータ長ＤＬと、種々の媒体アクセス制御層に対して共通のサービスをネットワーク層に提供するロジカルリンクＬＬＣと、データのタイプを表わすデータタイプＳＮＡＰと、ＩＰアドレスを含む３８〜１４９２オクテットの可変長の送信データＤＴと、エラー検出のためのＣＲＣ符号が挿入されるフレームチェックシーケンスＦＣＳとを含む。
【００１７】
一方、タグフレームは、ＶＬＡＮ設定されているフレームであり、同図（Ｃ）に示すように、そのフレームがＶＬＡＮタグを有することを表わすタグプロトコル識別子ＴＰＩＤと、そのフレームがいずれのＶＬＡＮに属しているかを表わすＶＬＡＮ識別子などの情報を有するタグ制御情報ＴＣＩとを含み、これらをたとえば、イーサネットフレームに適用した場合、その送信元ＭＡＣアドレスＳＡとデータタイプＥＴの間にそれぞれ挿入される。ＩＥＥＥ８０２．３イーサネットフレームに適用した場合、送信元ＭＡＣアドレスＳＡとデータ長ＤＬの間に挿入される。ＶＬＡＮは、物理的なネットワーク配線に左右されない論理ネットワークを構築することができる技術であり、ブリッジの物理ポート単位にグループ化するポートＶＬＡＮと、ＭＡＣアドレスなどのレイヤ２アドレス単位にグループ化するレイヤ２ＶＬＡＮと、ＩＰアドレスもしくはＩＰＸなどのレイヤ３アドレス単位またはレイヤ２におけるＭＡＣヘッダ内のプロトコルＩＤもしくはユーザが任意に設定した内容によってグループ化するポリシーベースＶＬＡＮなどがある。本実施形態のＬＡＮ間接続システムでは、ポートＶＬＡＮ設定可能なブリッジ４０を適用して、本願特有の設定によりＶＬＡＮタグの有無にかかわらず宛先ＭＡＣアドレスＤＡと、送信元ＭＡＣアドレスＳＡとに基づいてそれぞれのデータフレームを転送するブリッジ方式のＬＡＮ間接続システムである。
【００１８】
詳細には、本実施形態による第１の光変換ブリッジ４０は、通信事業者側に設置されて広域ＬＡＮ３０のルータ３００からのデータフレームおよび光ファイバ伝送路２０を介して転送されたユーザＬＡＮ１０からのデータフレームを相互に転送する第１の転送装置であり、本実施形態では、ルータ３００からのより対線などの電気伝送路と光ファイバ伝送路２０との間のデータフレームを電気−光変換して転送する光変換装置である。より具体的には図１に示すように、本実施形態による第１の光変換ブリッジ４０は、光物理層終端部４０２と、ＭＡＣスイッチ４０４と、電気物理層終端部４０６と、ＶＬＡＮ設定部４０８と、帯域制限制御部４１０とを含む。
【００１９】
光物理層終端部４０２は、光ファイバ伝送路２０との間において送受信するイーサネットフレームを終端するレイヤ１の終端回路であり、本実施形態では、ラインインタフェース４１２と、物理層デバイスＰＨＹ４１４と、固定クロック発振器４１６とを含む。ラインインタフェース４１２は、電気−光変換回路を含み、光ファイバ伝送路２０と物理層デバイスＰＨＹ４１４との間においてデータフレームを電気−光変換してシリアルに転送するシリアルインタフェースである。物理層デバイスＰＨＹ４１４は、ラインインタフェース４１２からの電気信号に変換されたフレームの波形整形などの処理をする処理回路であり、本実施形態では、固定クロック発振器４１６から供給されるたとえば２５ＭＨｚ固定のクロックにより駆動されて、ラインインタフェース４１２を介して１００Ｍｂｐｓシリアルに入力したフレームを４ビットパラレルに変換してＭＡＣスイッチ４０４に供給するシリアル−パラレル変換回路を含む。固定クロック発振器４１６は、物理層デバイスＰＨＹ４１４に固定クロックを供給するクロック生成回路であり、本実施形態では、物理層デバイスＰＨＹ４１４により１００Ｍｂｐｓシリアルのデータフレームを４ビットパラレルに変換して転送する際の２５ＭＨｚの動作周波数を発振する発振回路である。
【００２０】
ＭＡＣスイッチ４０４は、本実施形態ではポートＶＬＡＮ機能を有し、ＩＥＥＥ８０２．３Ｑに準拠するタグフレームを含むイーサネットフレームまたはＩＥＥＥ８０２．３イーサネットフレームをそのＶＬＡＮタグおよびＭＡＣアドレスに従って転送する転送処理部であり、特に本実施形態では、ポートＶＬＡＮ機能により伝送路側と広域ＬＡＮ側にグループ化された第１〜第４のポート４２２〜４２８を含み、それらの間がデータフレームをグループ間転送自在に接続されている。より具体的には、第１のポート４２２は、光物理層終端部４０２の物理層デバイスＰＨＹ４１４に接続されて、その第１のポート４２２と第２のポート４２４がＶＬＡＮグループ４２０として設定されている。第３のポート４２６は、電気物理層終端部４０６の物理層デバイスＰＨＹ４７２に接続され、その第３のポート４２６と第４のポート４２８がＶＬＡＮグループ４３０として設定されている。さらに、本実施形態では、第２のポート４２４と第４のポート４２８とがデータフレームをグループ間転送自在に外部接続されている。より詳細には、本実施形態のＭＡＣスイッチ４０４は、たとえば図３に示すように、第１〜第４のポート４２２〜４２８のそれぞれの受信ＦＩＦＯ(first in first out memory) ４３２〜４３８と、バッファ部４４０と、バッファ制御部４４２と、第１〜第４のポート４２２〜４２８のそれぞれの送信ＦＩＦＯ４４４〜４５０とを含む。第１のポート４２２の受信ＦＩＦＯ４３２は、光物理層終端部４０２の物理層デバイスＰＨＹ４１４からの受信フレームをその２５ＭＨｚの速度に同期して受けて、その入力順にバッファ部４４０に供給する第１のポート４２２の入力回路である。第２のポート４２４の受信ＦＩＦＯ４３４は、第４のポート４２８の送信ＦＩＦＯ４５０に外部接続されて、その転送速度、つまり帯域制限制御部４１０からの転送周波数に同期して受けたフレームをその入力順にバッファ部４４０に供給する第２のポート４２４の入力回路である。第３のポート４２６の受信ＦＩＦＯ４３６は、電気物理層終端部４０６からの受信フレームをその２５ＭＨｚの速度に同期して受けて、その入力順にバッファ部４４０に供給する第３のポート４２６の入力回路である。第４のポート４２８の受信ＦＩＦＯ４３８は、第２のポート４２４の送信ＦＩＦＯ４４６に外部接続されてその帯域制限制御部４１０からの転送周波数に同期した速度により受けたフレームをその入力順にバッファ部４４０に供給する第４のポート４２８の入力回路である。
【００２１】
バッファ部４４０は、バッファ制御部４４２の制御の下にそれぞれの受信ＦＩＦＯ４３２〜４３８からの受信フレームが一時蓄積される記憶回路であり、本実施形態では、たとえばＳＤＲＡＭ(synchronous dynamic random access memory)などの揮発性の記憶回路が有利に適用されている。たとえば、本実施形態ではそれぞれのポート４２２〜４２８毎に記憶領域が設けられ、さらにそれぞれの記憶領域にイーサネットフレームの最大パケット長となる１５３６ｂｙｔｅ毎にそれぞれのフレームを記憶する複数のデータ領域が形成されている。本実施形態では、これらのデータ領域に記憶される入力フレーム数が出力フレーム数を越えた場合にそれらのフレームが破棄されてそのデータ容量が制限される。バッファ制御部４４２は、ＶＬＡＮ設定部４０８の設定に従ってバッファ部４４０でのデータフレームの書込みおよび読出しを制御するＶＬＡＮ制御回路であり、本実施形態では図４に示すように、ＴＰＩＤ設定部４５２と、アドレス検索部４５４と、ライトポインタ４５６と、リードポインタ４５８と、ディスクリプタ４６０と、アドレステーブル４６２と、ＶＬＡＮテーブル４６４とを含む。
【００２２】
ＴＰＩＤ設定部４５２は、受信フレームがタグフレームであるか否かを識別する際のタグプロトコル識別子ＴＰＩＤが設定される部位であり、本実施形態ではＶＬＡＮ設定部４０８により本願特有のタグプロトコル識別子ＴＰＩＤとしてたとえば０ｘｆｆｆｆの値が設定されて、その値によりフレームのタグの有無にかかわらずすべてのフレームがタグなしフレームとして処理される。アドレス検索部４５４は、それぞれの受信ＦＩＦＯ４３２〜４３８から抽出したＭＡＣアドレスおよびＶＬＡＮタグを含むそれぞれのフレームのヘッダに基づいてそのフレームがいずれのポートに転送すべきフレームであるか否かを判定する回路であり、本実施形態では、アドレステーブル４６２からＭＡＣアドレスを検索し、さらにＶＬＡＮテーブル４６４からＶＬＡＮグループを検索してその結果を対応のライトポインタ４５６およびリードポインタ４５８にそれぞれ供給する。たとえば、本実施形態では、第１のポート４２２の受信ＦＩＦＯ４３２からバッファ部４４０を介して同一ＶＬＡＮグループ４２０に設定された第２のポート４２４の送信ＦＩＦＯ４４６に転送されるように、それぞれの受信ＦＩＦＯ４３２〜４３８からのフレームがバッファ部４４０を介してその同一ＶＬＡＮグループの送信ＦＩＦＯ４４４〜４５０にそれぞれ転送されるようにそのアドレス検索結果をライトポインタ４５６およびリードポインタ４５８に供給する。
【００２３】
ライトポインタ４５６は、それぞれのポート４２２〜４２８毎に設けられて、アドレス検索部４５４からのフレームの受信指示があった際に受信バッファ４４０からの読み出しアドレスをディスクリプタ４６０に格納する場所をシーケンシャルに指示する指示回路である。リードポインタ４５８は、ライトポインタ４５６と同様に、それぞれのポート４２２〜４２８毎に設けられて、バッファ部４４０でのフレームの読み出しをディスクリプタ４６０にシーケンシャルに指示する指示回路であり、本実施形態では、それぞれの送信ＦＩＦＯ４４４〜４５０での出力タイミングに応動して読出し指示を順次供給する。つまり、本実施形態では、第１および第３のポート４２２、４２６の送信ＦＩＦＯ４４４、４４８に対するバッファ部４４０への読み出し指示を２５ＭＨｚ固定の動作周波数により供給し、第２および第４のポート４２４、４２８の送信ＦＩＦＯ４４６、４５０に対するバッファ部４４０への読み出し指示を２．５ＭＨｚ〜２５ＭＨｚのうちのいずれかに設定された動作周波数により供給する。ディスクリプタ４６０は、ライトポインタ４５６およびリードポインタ４５８の指示によりバッファ部４４０に対して読み出しアドレスを供給するアドレス発生回路である。アドレステーブル４６２は、たとえばイーサネットフレームに付与された送信元アドレスＳＡが書き換え自在に記憶されたＭＡＣテーブルである。ＶＬＡＮテーブル４６４は、ポート単位でのグルーピング、つまりＶＬＡＮ識別子と各ポートとの対応表が書き換え自在に記憶されたテーブルであり、本実施形態では、第１のポート４２２と第２のポート４２４のＶＬＡＮ識別子が同一グループ４２０にあることと、第３のポート４２６と第４のポート４２８のＶＬＡＮ識別子が同一グループ４３０にあることがＶＬＡＮ設定回路４０８によってあらかじめ書き込まれる。
【００２４】
再び図３において、第１のポート４２２の送信ＦＩＦＯ４４４は、光物理層終端部４０２の物理層デバイスＰＨＹ４１４に接続されて、本実施形態では、バッファ部４４０から読み出された第２のポート４２４の受信ＦＩＦＯ４３４からのフレームを物理層デバイスＰＨＹ４１４での送信フレームの転送速度２５ＭＨｚに同期して出力する第１のポート４２２の出力回路である。第２のポート４２４の送信ＦＩＦＯ４４６は、第４のポート４２８の受信ＦＩＦＯ４３８に外部接続されて、本実施形態では、バッファ部４４０から読み出された第１のポート４２２の受信ＦＩＦＯ４３２からのフレームを帯域制限制御部４１０からの転送周波数に同期して出力する第２のポート４２４の出力回路である。つまり本実施形態では、送信ＦＩＦＯ４４６は、２．５ＭＨｚ〜２５ＭＨｚのうちのいずれかに設定された動作周波数により駆動される。第３のポート４２６の送信ＦＩＦＯ４４８は、電気物理層終端部４０６の物理層デバイスＰＨＹ４７２に接続されて、本実施形態では、バッファ部４４０から読み出された第４のポート４２８の受信ＦＩＦＯ４３８からのフレームを物理層デバイスＰＨＹ４７２での送信フレームの２５ＭＨｚの速度に同期して出力する第３のポート４２６の出力回路である。第４のポート４２８の送信ＦＩＦＯ４５０は、第２のポート４２４の受信ＦＩＦＯ４３４に外部接続されて、本実施形態では、バッファ部４４０から読み出された第３のポート４２６の受信ＦＩＦＯ４３６からのフレームを帯域制限制御部４１０からの転送周波数に同期して出力する第４のポート４２８の出力回路である。つまり本実施形態では、送信ＦＩＦＯ４５０は、第２のポート４２４の送信ＦＩＦＯ４４６と同一の２．５ＭＨｚ〜２５ＭＨｚのうちのいずれかに設定された動作周波数により駆動される。
【００２５】
図１に戻って、電気物理層終端部４０６は、ルータ３００との間において送受信するデータフレームを終端するレイヤ１の終端回路であり、本実施形態では、ラインインタフェース４７０と、物理層デバイスＰＨＹ４７２と、固定クロック発振器４７４とを含む。ラインインタフェース４７０は、広域ＬＡＮのルータ３００との間に布設されたより対線などの電気ケーブルに接続されて、物理層デバイスＰＨＹ４７２との間においてデータフレームをシリアルに転送するシリアルインタフェースである。物理層デバイスＰＨＹ４７２は、ラインインタフェース４７０から受けたフレームの波形整形などの処理をする回路であり、本実施形態では、固定クロック発振器４７４からのたとえば２５ＭＨｚ固定の動作周波数により駆動されて、ＭＡＣスイッチ４０４からの４ビットパラレルのフレームをシリアルに変換するパラレル−シリアル変換回路を含む。固定クロック発振器４７４は、物理層デバイスＰＨＹ４７２に固定クロックを供給するクロック生成回路であり、本実施形態では、物理層デバイスＰＨＹ４７２により１００Ｍｂｐｓシリアルのデータフレームを４ビットパラレルに変換して転送する際の２５ＭＨｚの動作周波数を発振する発振回路である。
【００２６】
一方、ＶＬＡＮ設定部４０８は、ＭＡＣスイッチ４０４のＴＰＩＤ設定部４５２でのタグプロトコル識別子ＴＰＩＤとＶＬＡＮテーブル４６４でのＶＬＡＮ識別子をそれぞれ設定する設定回路であり、本実施形態では、上述したようにＴＰＩＤ設定部４５２に０ｘｆｆｆｆの値を設定し、ＶＬＡＮテーブル４６４に第１および第２のポート４２２、４２４が同一ＶＬＡＮグループ４２０であることと、第３および第４のポート４２６、４２８が同一ＶＬＡＮグループ４３０であることを表わすＶＬＡＮ識別子をそれぞれ設定する。他方、帯域制限制御部４１０はＭＡＣスイッチ４０４において相互接続された第２および第４のポート４２４、４２８への発振周波数を自在に設定してそのデータ転送量を帯域制限する制御部であり、本実施形態では、可変クロック発振器４８０と、切替回路４８２とを含む。可変クロック発振器４８０は、ＭＡＣスイッチ４０４の第２および第４のポート４２４、４２８においてフレームを転送する際の共通の動作周波数を供給する可変発振器であり、本実施形態では、切替回路４８２を介して設定された２．５ＭＨｚから２５ＭＨｚまでたとえば２．５ＭＨｚステップ単位にその発振周波数を自在に設定可能となっている。より具体的には、たとえば、図５には切替回路４８２を含む本実施形態の可変クロック発振器４８０の一例が示されている。この図において、セレクタ４９０は、たとえば４ビットのディップスイッチからの設定値を選択して可変発振器４９２に供給する選択回路であり、本実施形態では、帯域速度１０Ｍｂｐｓから１００ＭＨｚまで１０Ｍｂｐｓステップ単位毎の契約帯域に応じて２．５ＭＨｚから２５ＭＨｚまで２．５ＭＨｚステップ単位毎に転送周波数の設定値を選択する。セレクタ４９０の選択値は、可変発振器４９２に供給される。可変発振器４９２は、たとえば、１０ＭＨｚから１００ＭＨｚまで所望の周波数を発振可能な発振器が有利に適用され、本実施形態では、２０ＭＨｚから１００ＭＨｚまで１０ＭＨｚステップ毎の発振周波数が選択されて、分周回路４９４に供給される。分周回路４９４は、可変発振器４９２からの発振周波数を分周する回路であり、本実施形態では、１／８分周回路と１／４分周回路とを含む。１／８分周回路は、２．５ＭＨｚクロック出力の場合に選択されて可変発振器４９２からの２０ＭＨｚの発振周波数を１／８分周して２．５ＭＨｚクロックを出力する。１／４分周回路は、５．０ＭＨｚ〜２５ＭＨｚクロック出力の場合に選択されて可変発振器４９２からの２０ＭＨ〜１００ＭＨｚの発振周波数をそれぞれ１／４分周して出力する。分周回路４９４からの出力は、２入力１出力のセレクタ４９６により１／８分周と１／４分周の場合に切り替えられて、ＭＡＣスイッチ４０４の第２および第４のポート４２４、４２８に共通に供給される。本実施形態による帯域制限制御の際の帯域速度と、発振周波数と、ＭＡＣスイッチ４０４の第２および第４のポート４２４、４２８に共通に供給される動作周波数との関係が図７に示されている。たとえば、帯域速度１０ＭＨｚに設定する場合、ディップスイッチＤ０〜Ｄ３を”００００”に設定する。これにより、２０ＭＨｚの周波数の発振クロックが１／８分周されて、２．５ＭＨｚの動作周波数のクロックが出力される。以下、ディップスイッチＤ０〜Ｄ３の設定により、２５ＭＨｚまで２．５ＭＨｚステップ毎に動作周波数が設定自在となっている。
【００２７】
一方、図２において、宅内側の第２の光変換ブリッジ５０は、ユーザ宅内に設置されてユーザＬＡＮ１０のルータ１００からのデータフレームおよび光ファイバ伝送路２０を介して転送された広域ＬＡＮ３０からのデータフレームをそのＭＡＣアドレスに従って相互に転送する第２の転送装置であり、本実施形態では、ルータ１００からのより対線などの電気伝送路と光ファイバ伝送路２０との間のデータフレームの電気−光変換をして媒体アクセス制御により転送する光変換装置である。より具体的には、図１に示す光変換ブリッジ４０とほぼ同様の構成により形成され、光ファイバ伝送路２０に接続されてそのレイヤ１を終端する光物理層終端部と、データフレームをそのＭＡＣアドレスに従って転送するＭＡＣスイッチと、ユーザＬＡＮ１０のルータ１００に接続されてそのレイヤ１を終端する電気物理層終端部とを含む。この場合、光変換ブリッジ４０と異なる点は、電気物理層終端部とＭＡＣスイッチがユーザＬＡＮ１０の１０ＢＡＳＥ−Ｔまたは１００ＢＡＳＥ−Ｔに応じて、２．５ＭＨｚまたは２５ＭＨｚのみの動作周波数の切り替えとなっている点である。光物理層終端部は、光ファイバ伝送路２０の伝送速度に応動して２５ＭＨｚ固定の動作周波数となっている。契約帯域を設定した場合、たとえばユーザＬＡＮ１０に接続された端末の台数あるいはそれぞれの端末の性能により１０Ｍｂｐｓを越える契約帯域が必要な場合は、１００ＢＡＳＥ−Ｔの伝送速度を用いる。
【００２８】
次に、上記構成によるＬＡＮ間接続システムの動作を説明すると、まず、ＶＬＡＮ設定回路４０８を起動して、あらかじめＭＡＣスイッチ４０４に本願特有のＶＬＡＮ設定をしておく。すなわち、ＭＡＣスイッチ４０４のバッファ制御部４４２におけるＴＰＩＤ設定回路４５２にタグフレームをタグなしフレームとして処理する値”０ｘｆｆｆｆ”を設定し、さらにＶＬＡＮテーブル４６４にフレームの転送先を固定としたポートＶＬＡＮ設定を表わすＶＬＡＮ識別子をあらかじめ書き込んでおく。つまり、本実施形態では、第１のポート４２２と第２のポート４２４が同一ＶＬＡＮグループ４２０であることと、第３のポート４２６と第４のポート４２８が同一ＶＬＡＮグループ４３０であることを表わすＶＬＡＮ識別子をＶＬＡＮテーブル４６４にあらかじめ書き込んでおく。
【００２９】
次に、ユーザとの契約に基づいて光変換ブリッジ４０を通信事業者が必要な契約帯域に設定しておく。たとえば、上りおよび下りのデータ容量をそれぞれ５０ＭＨｚの契約帯域に設定する場合、帯域制限制御部４１０の切替回路４８２におけるディップスイッチＤ０〜Ｄ３をたとえば図７に示すように帯域設定値「０１００」に設定して電源スイッチをオンとすると、可変クロック発振器４８０のたとえば発振器４９２から５０ＭＨｚの発振周波数のクロックが分周回路４９４に供給される。次に、分周回路４９４では、１／４分周回路により５０ＭＨｚの発振周波数を分周して１２．５ＭＨｚクロックをセレクタ４９６に供給する。これにより、セレクタ４９６は、分周回路４９４の１／４分周回路からの１２．５ＭＨｚクロック出力を選択して、これをＭＡＣスイッチ４０４の第２および第４のポート４２４、４２８にそれぞれ供給する。
【００３０】
一方、光物理層終端部４０２では、その固定クロック発振器４１６により２５ＭＨｚ固定の発振クロックが物理層デバイスＰＨＹ４１４に供給されて１００Ｍｂｐｓのフレーム速度によりデータフレームを転送可能となっている。同様に、電気物理層終端部４０６では、固定クロック発振器４７４からその物理層デバイスＰＨＹ４７２に２５ＭＨｚ固定の発振クロックが供給されて、１００Ｍｂｐｓによりフレーム転送可能となっている。他方、第２の光変換ブリッジ５０では、あらかじめ２５ＭＨｚに設定された発振周波数がその電気物理層終端部、ＭＡＣスイッチおよび光物理層終端部に供給されて、１００Ｍｂｐｓまでのフレームを転送可能な状態となっている。
【００３１】
次に、通信状態となって、ユーザＬＡＮ１０からルータ１００を介してタグフレームを含むイーサネットフレームまたはＩＥＥＥ８０２．３イーサネットフレームなどのデータフレームが送信されると、ルータ１００からのフレームを受けた第２の光変換ブリッジ５０では、その電気物理層終端部においてフレームを波形整形などの処理およびパラレル変換して、ＭＡＣスイッチに転送する。次に、ＭＡＣスイッチでは、そのフレームのＭＡＣアドレスに従って網側に転送するフレームであるか否かなどをチェックして、光物理層終端部に転送する。次いで、光物理層終端部では、データフレームを電気−光変換して光ファイバ伝送路２０を介して網側に転送する。この場合、第２の光変換ブリッジ５０では、電気物理層終端部、ＭＡＣスイッチおよび光物理層終端部がそれぞれ２５ＭＨｚ固定の動作周波数により動作して、契約帯域を越えている場合であってもすべてのデータフレームが光ファイバ伝送路２０を介して第１の光変換ブリッジ４０に転送される。
【００３２】
次に、光ファイバ伝送路２０を介してユーザＬＡＮ１０からのデータフレームを受けた第２の光変換ブリッジ４０では、その光物理層終端部４０２のラインインタフェース４１２においてフレームを光−電気変換して物理層デバイスＰＨＹ４１４に供給する。この際、物理層デバイスＰＨＹ４１４にはフレームが１００Ｍｂｐｓの伝送速度によりシリアルに入力する。次に、物理層デバイスＰＨＹ４１４では、フレームの波形処理およびパラレル変換などの処理をして、２５ＭＨｚ×４ビットのフレームをＭＡＣスイッチ４０４に供給する。次に、ＭＡＣスイッチ４０４では、その第１のポート４２２において受信フレームの速度に応じて受信ＦＩＦＯ４３２が動作して、そのフレームをバッファ部４４０およびバッファ制御部４４２のアドレス検索部４５４に供給する。次に、アドレス検索部４５４では、あらかじめＴＰＩＤ設定部４５２に設定された”０ｘｆｆｆｆ”の値に基づいて受信フレームをタグなしフレームと判定し、さらにＶＬＡＮテーブル４６４からフレームの転送先が第２のポート４２４であることを判定する。次いで、アドレス検索部４５４では、そのフレームのＭＡＣアドレスをアドレステーブル４６２から検索して、そのフレームが網側に転送するフレームであるか否かを判定する。転送するフレームであれば、対応のライトポインタ４５６を駆動して、ディスクリプタ４６０からバッファ部４４０に供給する制御アドレスを蓄積する。
【００３３】
次に、バッファ部４４０に蓄積されたフレームは、リードポインタ４５８からディスクリプタ４６０に読出し指示が供給されると、そのディスクリプタ４６０からの制御アドレスによりバッファ部４４０から順次読み出されて第２のポート４２４の送信ＦＩＦＯ４４６に供給されて、さらに外部接続線を介して第４のポート４２８の受信ＦＩＦＯ４３８に転送される。この際、第２のポート４２４の送信ＦＩＦＯ４４６は、帯域制限制御部４１０からの１２．５ＭＨｚの動作周波数により動作して、そのフレームを４ビットパラレルに出力する。フレームが出力されると、リードポインタ４５８は、次のフレームの読み出しをバッファ制御部４４２に指示する。これにより、１００Ｍｂｐｓによって第１のポート４２２に受信したフレームは、その速度が５０Ｍｂｐｓとなって第２のポート４２４の送信ＦＩＦＯ４４６から出力され、そのデータ量を越えてユーザＬＡＮ１０から送信されたフレームは、バッファ部４４０においてオーバフローとなって破棄される。
【００３４】
次に、第２のポート４２４の送信ＦＩＦＯ４４６から転送されたフレームは、第４のポート４２８の受信ＦＩＦＯ４３８においてその転送速度、つまり５０Ｍｂｐｓの速度により入力されて、バッファ部４４０に順次蓄積される。バッファ部４４０に蓄積されたフレームは、第１のポート４２２から第２のポート４２４に転送した際と同様に、タグプロトコル識別子が照合されてタグなしフレームと判定され、さらにＶＬＡＮテーブル４６４の設定とＭＡＣアドレスによって第３のポート４２６に読み出されて、その送信ＦＩＦＯ４４８を介して電気物理終端部４０６に転送される。この際、第３のポート４２６の送信ＦＩＦＯ４４８は、２５ＭＨｚの動作周波数により動作して、そのフレームを２５ＭＨｚ×４ビットの１００Ｍｂｐｓの速度によって出力する。第３のポート４２６の送信ＦＩＦＯ４４８からの転送フレームを受けた電気物理層終端部４０６では、光物理層終端部４０２と同様に、物理層デバイスＰＨＹ４７２において波形処理およびシリアル変換をしてラインインタフェース４７０を介して広域ＬＡＮ３０に１００Ｍｂｐｓシリアルの転送速度により転送する。
【００３５】
一方、広域ＬＡＮ３０からユーザＬＡＮ１０へ送信されるデータフレームは、ユーザＬＡＮ１０から広域ＬＡＮ３０に転送したデータフレームと反対の経路を通ってユーザＬＡＮ１０に転送される。すなわち、広域ＬＡＮ３０からのデータフレームは、ルータ３００を介して第１の光変換ブリッジ４０に供給され、その電気物理層終端部４０６によりレイヤ１の終端が実行されて、ＭＡＣスイッチ４０４の第３のポート４２６に供給される。第３のポート４２６に供給されたデータフレームは、ポートＶＬＡＮ機能により第４のポート４２８に転送され、外部接続により第２のポート４２４に入力する。その際、１００Ｍｂｐｓのデータ速度が５０Ｍｂｐｓのデータ速度に帯域制限される。また、フレームがＶＬＡＮタグを含む場合、そのＶＬＡＮタグフレームは、タグなしフレームと判定されてそのＭＡＣアドレスにより有効に転送される。第２のポート４２４に転送されたデータフレームはポートＶＬＡＮ機能により第１のポート４２２に転送されて再び１００Ｍｂｐｓのデータ速度により光物理層終端部４０２に供給される。光物理層終端部４０２に供給されたデータフレームは、光信号に変換されて光ファイバ伝送路２０を介して第２の光変換ブリッジ５０に供給され、その光物理層終端部により再び電気信号に変換される。電気信号に変換されたデータフレームは、さらにＭＡＣスイッチから電気物理層終端部を介してルータ１００に転送され、ユーザＬＡＮ１０に到達する。
【００３６】
以下同様に、ユーザＬＡＮ１０から広域ＬＡＮ３０への上りのデータフレームの転送については、ユーザＬＡＮ１０から供給されるデータ量に契約帯域を越えるフレームが発生すると、第１の光変換ブリッジ４０におけるＭＡＣスイッチ４０４の第２のポート４２４から第４のポート４２８の間の契約帯域に応じた転送周波数により、第１のポート４２２から第２のポート４２４の間のバッファ部４４０においてその契約帯域を越えて供給されるデータフレームがオーバーフローして破棄される。同様に、広域ＬＡＮ３０からユーザＬＡＮ１０への下りのデータフレームの転送については、広域ＬＡＮ３０からの送信フレームに契約帯域を越えるフレームが発生すると、第１の光変換ブリッジ４０のＭＡＣスイッチ４０４における第３のポート４２６から第４のポート４２８の間のバッファ部４４０において契約帯域を越えて供給されるデータフレームがオーバーフローして破棄され、上りと同一の帯域周波数により、その帯域制限が有効に実行される。
【００３７】
以上のように本実施形態のＬＡＮ間接続システムによれば、安価なブリッジ方式の第１の光変換ブリッジ４０および第２の光変換ブリッジ５０を用いてユーザＬＡＮ１０を通信事業者の広域ＬＡＮ３０に有効に接続することができる。この場合、第１の光変換ブリッジ４０のＭＡＣスイッチ４０４においてそのＶＬＡＮ機能により第１および第２のポート４２２、４２４と第３および第４のポート４２６、４２８をそれぞれ同一ＶＬＡＮグループ４２０、４３０として設定し、それらグループ４２０、４３０間を第２のポート４２４と第４のポート４２８により外部接続して、それらの間を帯域制限制御部４１０に契約帯域に応じて設定した動作周波数により駆動するようにしたので、その設定帯域を越えるユーザＬＡＮ１０からの上りデータのフレームおよび広域ＬＡＮ３０からの下りデータのフレームを有効に破棄して、契約帯域内の所望のデータ量にその帯域制限を有効に実現することができる。その際、帯域制限制御部４１０の発振周波数をたとえば２．５ＭＨｚステップにより設定するようにしたので、契約帯域を１０Ｍｂｐｓステップ毎に細かく設定することができ、それらの料金設定を契約帯域に応じたきめ細かい設定とすることができる。また、第１の光変換ブリッジ４０のＭＡＣスイッチ４０４において、そのＴＰＩＤ設定部４５２にタグプロトコル識別子ＴＰＩＤとしてタグフレームをタグなしフレームとして処理する値”０ｘｆｆｆｆ”を設定したので、タグフレームを含むデータフレームを破棄することなく、有効に転送することができる。したがって、通常のイーサネットフレームまたＩＥＥＥ８０２．３イーサネットフレームなどのアンタグフレームのみを取り扱うユーザＬＡＮだけでなく、ＶＬＡＮタグが付加されたタグフレームを含むデータフレームを取り扱うユーザＬＡＮまたはそれらが混在した場合であってもそれぞれのユーザＬＡＮ１０を広域ＬＡＮ３０に有効にＬＡＮ間接続することができる。
【００３８】
次に、図８および図９には、本発明によるＬＡＮ間接続システムの他の実施形態が示されている。これらの図において、上記実施形態と異なる点は、局側に設置された第１の光変換ブリッジ６０として、８個のポート５０２〜５１８を含むＶＬＡＮ設定自在なＭＡＣスイッチ５００が適用されて、それらのポート５０２〜５１８が４つのＶＬＡＮグループ５１０〜５４０にそれぞれＶＬＡＮ設定されて、上り下りデータフレームが異なる経路を通るようにグループ間がそれぞれ外部接続されている点と、それら異なる経路に対して異なる動作周波数のクロックを供給する第１および第２の帯域制限制御部５５０、５６０が設けられ、それぞれ上り下り異なる契約帯域に設定するように構成した点である。なお、図８および図９において、図１および図２と同様の部分には、同符号を付してその説明を省略する。
【００３９】
すなわち、本実施形態に適用される第１の光変換ブリッジ６０は、図８に示すように、光物理層終端部４０２と、ＭＡＣスイッチ５００と、電気物理層終端部４０６と、ＶＬＡＮ設定回路４０８と、第１の帯域制限制御部５５０と、第２の帯域制限制御部５６０とを含む。ＭＡＣスイッチ５００は、第１〜第８のポート５０２〜５１８を含み、第１のポート５０２の入力が光物理層終端部４０２の物理層デバイスＰＨＹ４１４に接続されている。第２のポート５０４は、第１のポート５０２と同一の第１のＶＬＡＮグループ５１０として設定され、第３のポート５０６に相互に外部接続されている。第３のポート５０６と第４のポート５０８は、第２のＶＬＡＮグループ５２０として設定され、第４のポート５０８の出力が電気物理層終端部４０６の物理層デバイスＰＨＹ４７２に接続されている。第５のポート５１２は、その入力が電気物理層終端部４０６の物理層デバイスＰＨＹ４７２に接続されている。第６のポート５１４は、第５のポート５１２と同一の第３のＶＬＡＮグループ５３０として設定され、第７のポート５１６に相互に外部接続されている。第７のポート５１６と第８のポート５１８は第４のＶＬＡＮグループ５４０として設定され、第８のポート５１８の出力が光物理層終端部４０２の物理層デバイスＰＨＹ４１４に接続されている。
【００４０】
一方、第１の帯域制限制御部５５０は、図１の実施形態における帯域制限制御部４１０と同様に、可変クロック発振器５５２と、切替回路５５４とを含み、たとえば図５に示すように、セレクタ４９０と、可変発振器４９２と、分周回路４９４と、セレクタ４９６により構成されている。その出力は、それぞれＭＡＣスイッチ５００の第２のポート５０４と第３のポート５０６にそれぞれ接続されている。第２の帯域制限制御部５６０は、第１の帯域制限制御部５５０と同様に、可変クロック発振器５６２と、切替回路５６４とを含み、図５に示す回路とほぼ同様に構成されている。第２の帯域制限制御部５６０の出力は、第６のポート５１４と第７のポート５１６にそれぞれ接続されている。
【００４１】
以上のような構成において、まず、ＶＬＡＮ設定回路４０８を起動して、あらかじめＭＡＣスイッチ５００に本願特有のＶＬＡＮ設定をしておく。すなわち、ＭＡＣスイッチ５００におけるバッファ制御部のＴＰＩＤ設定回路にタグフレームをタグなしフレームとして処理する値”０ｘｆｆｆｆ”を設定し、さらにＶＬＡＮテーブルにフレームの転送先を固定としたポートＶＬＡＮ設定を表わすＶＬＡＮ識別子をあらかじめ書き込んでおく。つまり、本実施形態では、第１および第２のポート５０２、５０４が第１のＶＬＡＮグループ５１０として設定され、第３および第４のポート５０６、５０８が第２のＶＬＡＮグループ５２０として設定され、第５および第６のポート５１２、５１４が第３のＶＬＡＮグループ５３０として設定され、第７および第８のポート５１６、５１８が第４のＶＬＡＮグループ５４０として設定されたことを表わすＶＬＡＮ識別子をＶＬＡＮテーブルにあらかじめ書き込んでおく。
【００４２】
次に、ユーザとの契約に基づいて光変換ブリッジ６０を通信事業者が必要な契約帯域に設定しておく。上りのデータ容量をたとえば２０ＭＨｚの契約帯域に設定する場合、第１の帯域制限制御部５５０の切替回路５５４におけるディップスイッチＤ０〜Ｄ３を図７に示すように帯域設定値「０００１」に設定する。一方、下りのデータ容量を５０ＭＨｚに設定する場合、第２の帯域制限制御部５６０の切替回路５６４におけるディップスイッチＤ０〜Ｄ３を「０１００」に設定しておく。このような状態において電源スイッチをオンとすると、第１の帯域制限制御部５５０では、可変クロック発振器５５２のたとえば発振器４９２から２０ＭＨｚの発振周波数のクロックが分周回路４９４に供給される。次に、分周回路４９４では、１／４分周回路により２０ＭＨｚの発振周波数を分周して５．０ＭＨｚのクロックをセレクタ４９６に供給する。これにより、セレクタ４９６は分周回路４９４の１／４分周回路からの５．０ＭＨｚのクロック出力を選択してこれをＭＡＣスイッチ５００の第２および第３のポート５０４、５０６にそれぞれ供給する。第２の帯域制限制御部５６０では、可変クロック発振器５６２の発振器４９２から５０ＭＨｚの発振周波数のクロックが分周回路４９４に供給される。次に、分周回路４９４では、１／４分周回路により５０ＭＨｚの発振周波数を分周して１２．５ＭＨｚのクロックをセレクタ４９６に供給する。これによりセレクタ４９６は、分周回路４９４の１／４分周回路からの１２．５ＭＨｚのクロック出力を選択して、これをＭＡＣスイッチ５００の第６および第７のポート５１４、５１６にそれぞれ供給する。
【００４３】
一方、光物理層終端部４０２では、上記実施形態と同様に、その固定クロック発振器４１６により２５ＭＨｚ固定の発振クロックが物理層デバイスＰＨＹ４１４に供給されて１００Ｍｂｐｓのフレーム速度によりデータフレームを転送可能となっている。同様に、電気物理層終端部４０６では、固定クロック発振器４７４からその物理層デバイスＰＨＹ４７２に２５ＭＨｚ固定の発振クロックが供給されて、１００Ｍｂｐｓによりフレーム転送可能となっている。他方、第２の光変換ブリッジ５０では、上記実施形態と同様に、あらかじめ２５ＭＨｚに設定された発振周波数がその電気物理層終端部、ＭＡＣスイッチおよび光物理層終端部に供給されて、１００Ｍｂｐｓまでのフレームを転送可能な状態となっている。
【００４４】
次に、通信状態となって、ユーザＬＡＮ１０からルータ１００を介してタグフレームを含むイーサネットフレームまたはＩＥＥＥ８０２．３イーサネットフレームなどのデータフレームが送信されると、ルータ１００からのフレームを受けた第２の光変換ブリッジ５０では、上記実施形態と同様に、その電気物理層終端部においてフレームを波形整形などの処理およびパラレル変換して、ＭＡＣスイッチに転送する。次に、ＭＡＣスイッチでは、そのフレームのＭＡＣアドレスに従って網側に転送するフレームであるか否かなどをチェックして、光物理層終端部に転送する。次いで、光物理層終端部では、データフレームを電気−光変換して光ファイバ伝送路２０を介して網側に転送する。この場合、第２の光変換ブリッジ５０では、上記実施形態と同様に、電気物理層終端部、ＭＡＣスイッチおよび光物理層終端部がそれぞれ２５ＭＨｚ固定の動作周波数により動作して、契約帯域を越えている場合であってもすべてのデータフレームが光ファイバ伝送路２０を介して第１の光変換ブリッジ６０に転送される。
【００４５】
次に、光ファイバ伝送路２０を介してユーザＬＡＮ１０からのデータフレームを受けた第１の光変換ブリッジ６０では、上記実施形態と同様に、その光物理層終端部４０２のラインインタフェース４１２においてフレームを光−電気変換して物理層デバイスＰＨＹ４１４に供給する。この際、物理層デバイスＰＨＹ４１４にはフレームが１００Ｍｂｐｓの伝送速度によりシリアルに入力する。次に、物理層デバイスＰＨＹ４１４では、フレームの波形処理およびパラレル変換などの処理をして、２５ＭＨｚ×４ビットのフレームをＭＡＣスイッチ５００に供給する。次に、ＭＡＣスイッチ５００では、その第１のポート５０２において受信フレームの速度に応じて受信ＦＩＦＯが動作して、そのフレームをバッファ部およびバッファ制御部のアドレス検索部に供給する。次に、アドレス検索部では、あらかじめＴＰＩＤ設定部に設定された”０ｘｆｆｆｆ”の値に基づいて受信フレームをタグなしフレームと判定し、さらにＶＬＡＮテーブルからフレームの転送先が第２のポート５０４であることを判定する。次いで、アドレス検索部では、そのフレームのＭＡＣアドレスをアドレステーブルから検索して、そのフレームが網側に転送するフレームであるか否かを判定する。転送するフレームであれば、対応のライトポインタを駆動して、ディスクリプタからバッファ部に供給する制御アドレスを蓄積する。
【００４６】
次に、バッファ部に蓄積されたフレームは、リードポインタからディスクリプタに読出し指示が供給されると、そのディスクリプタからの制御アドレスによりバッファ部から順次読み出されて第２のポート５０４の送信ＦＩＦＯに供給されて、さらに外部接続線を介して第３のポート５０６の受信ＦＩＦＯに順次転送される。この際、第２のポート５０４の送信ＦＩＦＯは、第１の帯域制限制御部５５０からの５．０ＭＨｚの動作周波数により動作して、そのフレームを４ビットパラレルに出力する。フレームが出力されると、リードポインタは、次のフレームの読み出しをバッファ制御部に指示する。これにより、１００Ｍｂｐｓによって第１のポート５０２に受信したフレームは、その速度が２０Ｍｂｐｓとなって第２のポート５０４の送信ＦＩＦＯから出力され、そのデータ量を越えてユーザＬＡＮ１０から送信されたフレームは、バッファ部においてオーバフローとなって破棄される。
【００４７】
次に、第２のポート５０４の送信ＦＩＦＯから転送されたフレームは、第３のポート５０６の受信ＦＩＦＯにおいてその転送速度、つまり２０Ｍｂｐｓの速度により入力されて、バッファ部に順次蓄積される。バッファ部に蓄積されたフレームは、第１のポート５０２から第２のポート５０４に転送した際と同様に、タグプロトコル識別子が照合されてタグなしフレームと判定され、さらにＶＬＡＮテーブルの設定とＭＡＣアドレスによって第４のポート５０８に読み出されて、その送信ＦＩＦＯを介して電気物理層終端部４０６に転送される。この際、第４のポート５０８の送信ＦＩＦＯは、２５ＭＨｚの動作周波数により動作して、そのフレームを２５ＭＨｚ×４ビットの１００Ｍｂｐｓの速度によって出力する。第４のポート５０８の送信ＦＩＦＯからの転送フレームを受けた電気物理層終端部４０６では、光物理層終端部４０２と同様に、物理層デバイスＰＨＹ４７２において波形処理およびシリアル変換をしてラインインタフェース４７０を介して広域ＬＡＮ３０に１００Ｍｂｐｓシリアルの転送速度により転送する。
【００４８】
一方、広域ＬＡＮ３０からユーザＬＡＮ１０へ送信されるデータフレームは、まず、広域ＬＡＮ３０からルータ３００を介して第１の光変換ブリッジ６０に供給され、その電気物理層終端部４０６によりレイヤ１の終端が実行されて、ＭＡＣスイッチ５００の第５のポート５１２に供給される。第５のポート５１２に供給されたデータフレームは、ポートＶＬＡＮ機能により第６のポート５１４に転送され、外部接続により第７のポート５１６に入力する。その際、１００Ｍｂｐｓのデータ速度が５０Ｍｂｐｓのデータ速度に帯域制限される。また、タグフレームを含む場合、タグフレームは、タグなしフレームと判定されてそのＭＡＣアドレスにより有効に転送される。第７のポート５１６に転送されたデータフレームはポートＶＬＡＮ機能により第８のポート５１８に転送されて再び１００Ｍｂｐｓのデータ速度により光物理層終端部４０２に供給される。光物理層終端部４０２に供給されたデータフレームは、上記実施形態と同様に、光信号に変換されて光ファイバ伝送路２０を介して第２の光変換ブリッジ５０に供給され、その光物理層終端部により再び電気信号に変換される。電気信号に変換されたデータフレームは、さらにＭＡＣスイッチから電気物理層終端部を介してルータ１００に転送され、ユーザＬＡＮ１０に到達する。
【００４９】
以下同様に、ユーザＬＡＮ１０から広域ＬＡＮ３０への上りのデータフレームの転送については、ユーザＬＡＮ１０から供給されるデータ量に契約帯域を越えるフレームが発生すると、第１の光変換ブリッジ６０におけるＭＡＣスイッチ５００の第２のポート５０４から第３のポート５０６の間の契約帯域に応じた転送周波数により、第１のポート５０２から第２のポート５０４の間のバッファ部においてその契約帯域を越えて供給されるデータフレームがオーバーフローして破棄される。同様に、広域ＬＡＮ３０からユーザＬＡＮ１０への下りのデータフレームの転送については、広域ＬＡＮ３０からの送信フレームに契約帯域を越えるフレームが発生すると、第１の光変換ブリッジ６０のＭＡＣスイッチ５００における第５のポート５１２から第６のポート５１４の間のバッファ部において契約帯域を越えて供給されるデータフレームがオーバーフローして破棄され、上りと異なる帯域周波数により、その帯域制限が有効に実行される。
【００５０】
以上のように本実施形態のＬＡＮ間接続システムによれば、上記実施形態と同様に、安価なブリッジ方式の第１の光変換ブリッジ６０および第２の光変換ブリッジ５０を用いてユーザＬＡＮ１０を通信事業者の広域ＬＡＮ３０に有効に接続することができる。この場合、第１の光変換ブリッジ６０のＭＡＣスイッチ５００においてそのポートＶＬＡＮ機能により８個のポート５０２〜５１８を４個のＶＬＡＮグループ５１０〜５４０として設定して、ユーザＬＡＮ１０からの上りデータフレームと広域ＬＡＮ３０からの下りデータフレームとを異なるポートを介して転送するように第１および第２のＶＬＡＮグループ５１０、５２０と第３および第４のＶＬＡＮグループ５３０、５４０とをそれぞれ外部接続して、上り下りそれぞれ異なる経路において第１または第２の帯域制限制御部５５０、５６０にそれぞれ設定した動作周波数により外部接続したポート間の転送速度をそれぞれ異なる契約帯域に設定したので、それぞれの設定帯域を越えるユーザＬＡＮ１０または広域ＬＡＮ３０からのフレームをそれぞれ有効に破棄して、契約帯域内の所望のデータ量にその帯域制限を実現することができる。その際、第１および第２の帯域制限制御部５５０、５６０の発振周波数をたとえばそれぞれ２．５ＭＨｚステップにより設定するようにしたので、契約帯域をそれぞれ１０Ｍｂｐｓステップ毎に細かく設定することができ、それらの料金設定を契約帯域に応じてきめ細かく設定することができる。したがって、上り下りそれぞれユーザの要望に応じた契約帯域を設定することができ、ユーザの要望に合った優れたサービスを提供することができる。また、上記実施形態と同様に、タグフレームをタグなしフレームとして処理するタグプロトコル識別子ＴＰＩＤを設定するようにしたので、タグフレームを含むデータフレームを破棄することなく、有効に転送することができる。
【００５１】
なお、上記各実施形態では、ＭＡＣスイッチのＴＰＩＤ設定部にタグプロトコル識別子ＴＰＩＤの値として”０ｘｆｆｆｆ”を設定するようにしたが、本発明においては、一般のＬＡＮ環境に流れるフレームに適用される値以外のものであれば任意の値を使用してもよい。また、上記各実施形態では、ＭＡＣスイッチにおいて受信フレームを４ビットパラレルとして処理する場合を例に挙げて説明したが、本発明おいては、これに限らず他のビット数に変換して処理するものであってもよい。この場合、もちろん物理層終端部には、変換ビット数に応じた動作周波数が供給され、ＭＡＣスイッチには、その周波数を契約帯域に応じて分割した動作周波数が可変クロック発振器から供給されるとよい。さらに、上記各実施形態では、帯域制限周波数を１０Ｍｂｐｓから１００Ｍｂｐｓまで１０Ｍｂｐｓステップにて設定する場合を例に挙げて説明したが、本発明においては、その帯域制限の範囲および設定ステップは、もちろん任意のものでよい。また、上記各実施形態では、帯域制限制御部の切替回路としてディップスイッチにより手動によって設定するようにしたが、本発明においては局のリモート装置などにより遠隔操作によって帯域制限値を設定するようにしてもよい。また、上記各実施形態では、第２の光変換ブリッジ５０を第１の光変換ブリッジ４０、６０と同様のＭＡＣスイッチを適用してその転送周波数を固定とした場合を例に挙げて説明したが本発明においては、ＭＡＣスイッチを用いずに構成した光変換リピータなどであってもよい。またさらに、上記各実施形態では、光ファイバ伝送路２０を１００Ｍｂｐｓの伝送帯域とした場合を例に挙げて説明したが、本発明においては、もちろん任意の伝送帯域のものを適用してもよい。また、上記各実施形態では、第１の光変換ブリッジと第２の光変換ブリッジとの間を光ファイバ伝送路を介して接続した場合を例に挙げて説明したが、本発明おいては同軸ケーブル等の電気伝送路など任意の媒体を適用してもよい。同様に、広域ＬＡＮと第１の光変換ブリッジとの間またはユーザＬＡＮと第２の光変換ブリッジとの間を光ファイバ伝送路など他の媒体を用いてもよい。これらの場合、それぞれのブリッジまたはリピータの物理層終端部は、それらの媒体に応じた終端部を適用するとよい。
【００５２】
【発明の効果】
以上説明したように本発明のＬＡＮ間接続システムによれば、ユーザＬＡＮと通信事業者の広域ＬＡＮとを光ファイバ等の伝送路を介して接続するＬＡＮ間接続システムであって、通信事業者側に設置されて広域ＬＡＮと伝送路との間において所定のデータフレームを転送する第１の転送装置と、ユーザ宅内に設置されてユーザＬＡＮと伝送路との間において所定のデータフレームを転送する第２の転送装置とを含み、少なくとも第１の転送装置は、伝送路との間の物理層を終端する第１の物理層終端手段と、広域ＬＡＮ側の物理層を終端する第２の物理層終端手段と、第１および第２の物理層終端手段間においてデータフレームを媒体アクセス制御により転送するＭＡＣスイッチであって、複数の入出力ポートが所定のグループ毎にポートＶＬＡＮ設定自在に設けられ、伝送路側と広域ＬＡＮ側とにグループ化された入出力ポートがそのデータフレームをグループ間転送自在に接続されたＭＡＣスイッチと、それらの間のデータフレームの転送周波数を所定の間隔により自在に設定して、少なくとも第２の転送装置から伝送路を介して転送されるユーザＬＡＮから広域ＬＡＮへのデータ量を所望の伝送容量に帯域制限する帯域制限制御手段とを含むので、安価なブリッジ方式のシステムにより、少なくともユーザＬＡＮから広域ＬＡＮへのデータ量をユーザの要望に応じたきめ細かい契約帯域に設定することができる。
【００５３】
本発明の請求項２に係るＬＡＮ間接続システムによれば、第１の転送装置におけるＭＡＣスイッチは、少なくとも第１〜第４のポートを含み、その第１のポートが第１の物理層終端手段に接続され、その第１のポートと第２のポートが第１のＶＬＡＮグループとして設定され、また第３のポートが第２の物理層終端手段に接続され、その第３のポートと第４のポートが第２のＶＬＡＮグループとして設定されて、さらに第２のポートと第４のポートがデータフレームを第１および第２のＶＬＡＮグループにてグループ間転送自在に接続されているので、第２のポートと第４のポート間においてそのデータ転送速度を契約帯域に設定して、そのデータ容量を有効に帯域制限することができる。
【００５４】
本発明の請求項３に係るＬＡＮ間接続システムによれば、第１の転送装置におけるＭＡＣスイッチは、少なくとも第１〜第８のポートを含み、第１のポートの入力が第１の物理層終端手段に接続され、その第１のポートと第２のポートが第１のＶＬＡＮグループとして設定され、また第３のポートと第４のポートが第２のＶＬＡＮグループとして設定され、その第４のポートの出力が第２の物理層終端手段に接続されて、さらに第２のポートと第３のポートがデータフレームを第１および第２のＶＬＡＮグループにてグループ間転送自在に相互に接続されているので、第１の物理層終端手段から第１のポートに入力したデータ容量を第２のポートから第３のポートに転送する際にそのデータ転送速度を有効に帯域制限して、第４のポートから帯域制限したデータフレームを第２の物理層終端手段に有効に出力することができる。したがって、第１の物理層終端手段から第２の物理層終端手段に転送する上りのデータ容量を所望の契約帯域に有効に帯域制限することができる。
【００５５】
本発明の請求項４に係るＬＡＮ間接続システムによれば、第１の転送装置におけるＭＡＣスイッチは、さらに、第５のポートの入力が第２の物理層終端手段に接続され、その第５のポートと第６のポートが第３のＶＬＡＮグループとして設定され、また第７のポートと第８のポートが第４のＶＬＡＮグループとして設定され、その第８のポートの出力が第１の物理層終端手段に接続されて、第６のポートと第７のポートがデータフレームを第３および第４のＶＬＡＮグループにてグループ間転送自在に接続されているので、第２の物理層終端手段から第５のポートに入力したデータフレームを第６のポートから第７のポートに転送する際に有効に帯域制限して、第８のポートから帯域制限したデータフレームを第１の物理層終端手段に有効に出力することができる。したがって、第２の物理層終端手段から第１の物理層終端手段に転送する下りのデータ容量を所望の契約帯域に有効に帯域制限することができる。
【００５６】
本発明の請求項５に係るＬＡＮ間接続システムによれば、第１の転送装置におけるＭＡＣスイッチは、それぞれのポートの入力手段と、入力手段からのデータフレームを一時蓄積するバッファ手段と、バッファ手段から読み出されたデータフレームを帯域制限制御手段からの転送周波数に応動して出力するそれぞれのポートの出力手段と、バッファ手段からのデータフレームをＶＬＡＮ設定された所望のポートの出力手段に読み出すバッファ制御手段とを含むので、ＶＬＡＮ設定された入力手段から出力手段に有効にデータフレームを転送して、その転送の際にバッファ手段により契約帯域を越えたフレームを破棄して、そのデータ容量を有効に帯域制限することができる。
【００５７】
本発明の請求項６に係るＬＡＮ間接続システムによれば、帯域制限制御手段は、所望の発振周波数を生成する発振手段と、発振手段からの発振周波数を自在に切り替える切替手段とを含み、これにより、上り下り同一の周波数によりバッファ制御手段を駆動するので、上り下り同一の契約帯域により有効に帯域制限することができる。
【００５８】
本発明の請求項７に係るＬＡＮ間接続システムによれば、本発明によるＬＡＮ間接続システムは、所望の発振周波数を生成する発振手段と、発振手段からの発振周波数を自在に切り替える切替手段とを含む２以上の帯域制限制御手段を有し、これら帯域制限制御手段は、上り下り異なる周波数によりバッファ制御手段を駆動するので、ユーザの要望に応じて上り下り異なる契約帯域により有効に帯域制限することができる。
【００５９】
本発明の請求項８に係るＬＡＮ間接続システムによれば、転送されるデータフレームは、いずれのＶＬＡＮに転送するかを表わすＶＬＡＮ制御情報が付加されたＶＬＡＮタグを有するタグフレーム、もしくはＶＬＡＮタグを有しないアンタグフレームとを含み、第１の転送装置は、ＭＡＣスイッチに、タグフレームおよびアンタグフレームをそのＶＬＡＮタグの有無にかかわらずタグなしフレームとして識別するように設定する設定手段を含むので、タグフレームを含むデータフレームを破棄することなく、有効に転送することができる。したがって、通常のイーサネットフレームまたはＩＥＥＥ８０２．３イーサネットフレームなどのアンタグフレームのみを取り扱うユーザＬＡＮだけでなく、ＶＬＡＮタグが付加されたタグフレームを含むデータフレームを取り扱うユーザＬＡＮまたはそれらが混在した場合であってもそれぞれのユーザＬＡＮを広域ＬＡＮに有効にＬＡＮ間接続することができる。
【図面の簡単な説明】
【図１】本発明によるＬＡＮ間接続システムに適用される光変換ブリッジの一実施形態を示すブロック図である。
【図２】図１の実施形態による光変換ブリッジが適用されたＬＡＮ間接続システムの一実施形態を示すブロック図である。
【図３】図１の実施形態による光変換ブリッジに適用されるＭＡＣスイッチの構成例を示す機能ブロック図である。
【図４】図３の実施形態によるＭＡＣスイッチのさらに要部の構成例を示す機能ブロック図である。
【図５】図１の実施形態による光変換ブリッジに適用される帯域制限制御部の構成例を示す機能ブロック図である。
【図６】図２の実施形態によるＬＡＮ間接続システムに適用されるデータフレームのフォーマット例を示す図である。
【図７】図１の実施形態に適用される帯域速度とその動作周波数の設定値の一例を表わす表である。
【図８】本発明によるＬＡＮ間接続システムに適用される光変換ブリッジの他の実施形態を示すブロック図である。
【図９】図８の実施形態による光変換ブリッジが適用されたＬＡＮ間接続システムの一実施形態を示すブロック図である。
【符号の説明】
１０  ユーザＬＡＮ
２０  光ファイバ伝送路
３０  広域ＬＡＮ
４０、６０  第１の光変換ブリッジ（第１の転送装置）
５０  第２の光変換ブリッジ（第２の転送装置）
４０２  光物理層終端部
４０４、５００  ＭＡＣスイッチ
４０６  電気物理層終端部
４０８  ＶＬＡＮ設定回路
４１０，５５０，５６０  帯域制限制御部
４２２〜４２８、５０２〜５１８  ポート
４８０，５５２，５６２  可変クロック発振器
４８２，５５４，５６４  切替回路
【図１】
0003893950.tif 000002
【図２】
0003893950.tif 000003
【図３】
0003893950.tif 000004
【図４】
0003893950.tif 000005
【図５】
0003893950.tif 000006
【図６】
0003893950.tif 000007
【図７】
0003893950.tif 000008
【図８】
0003893950.tif 000009
【図９】
0003893950.tif 000010